【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】  貨幣の支払いに応じた価値であって、遊技に使用可能な遊技用価値の大きさを特定可能な情報及び各記録媒体に固有の識別情報が記録され所有者を特定可能な所有者特定記録媒体を受付けて、該受付けた所有者特定記録媒体の記録情報を少なくとも読み出す記録媒体処理手段と、
該記録媒体処理手段にて前記所有者特定記録媒体から読み出した前記情報から特定される遊技用価値の大きさを遊技に使用するための遊技使用処理を行う遊技使用処理手段と、
を備える記録媒体処理装置と、
前記所有者特定記録媒体の遊技用価値の大きさを、該所有者特定記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、
前記所有者特定記録媒体の受付けを判断する所有者特定記録媒体受付判断手段と、
該所有者特定記録媒体受付判断手段による所有者特定記録媒体の受付け判断に基づいて、該所有者特定記録媒体の受付けを報知するための所有者特定記録媒体受付報知手段と、
前記記録媒体管理装置との通信状態が通信可能状態或いは通信不可能状態であるかの確認を行う通信状態確認手段と、
該通信状態確認手段にて確認された通信状態を報知するための通信状態報知手段と、
該記録媒体処理装置を構成する内部機器において、予め設定されているエラー内容に該当する障害が発生したか否かを判断するエラー発生判断手段と、
該エラー発生判断手段におけるエラー発生の判断に基づいてエラー発生を報知するためのエラー発生報知手段と、
前記記録媒体処理手段にて前記所有者特定記録媒体から読み出した情報から特定される遊技用価値の大きさと、該所有者特定記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であることを条件に、当該識別情報の所有者特定記録媒体の遊技への使用が可能であると判定し、該所有者特定記録媒体の遊技への使用が可能である旨を前記判定要求を送信した記録媒体処理装置に返信する使用可否判定手段を備えることを特徴とする遊技用システム。
【請求項２】  前記記録媒体処理装置は、前記各報知手段による報知を、各報知内容に該当する異なる表示態様を単一の表示部に表示することで報知するための多機能表示装置を備える請求項１に記載の遊技用システム。
【請求項３】  前記記録媒体処理装置は、前記単一の表示部を記録媒体処理装置の上部位置に備える請求項２に記載の遊技用システム。
【請求項４】  前記各報知手段は、異なる色の点灯表示にて報知を行う請求項１〜３のいずれかに記載の遊技用システム。
【請求項５】  前記所有者特定記録媒体受付判断手段は、所有者特定記録媒体を使用した遊技使用処理が可能であるか否かを判断し、
前記記録媒体処理装置は、該遊技使用処理の可否判断に基づいて、遊技使用処理の可否を報知する所有者特定記録媒体使用可否報知手段を備える請求項１〜４のいずれかに記載の遊技用システム。
【請求項６】  前記記録媒体処理装置は、前記所有者特定記録媒体に記録されている所有者識別情報に基づいて、該所有者が催事対象者に該当するか否かを判断するための催事対象者判断手段と、該催事対象者判断手段により該所有者が催事対象者に該当すると判断された場合に、該催事対象者である旨を報知するための催事対象者報知手段と、を備える請求項１〜５のいずれかに記載の遊技用システム。
【請求項７】  前記催事対象者報知手段による報知態様が、前記所有者特定記録媒体受付報知手段による報知態様に関連付けられている請求項６に記載の遊技用システム。
【手続補正３】
【補正対象書類名】明細書
【補正対象項目名】０００１
【補正方法】変更
【補正の内容】
【０００１】
【発明の属する技術の分野】
本発明は、プリペイドカードやプリペイド機能を有する会員カード等の遊技用記録媒体を遊技に使用するための遊技用システムの改良に関する。
【手続補正４】
【補正対象書類名】明細書
【補正対象項目名】０００７
【補正方法】変更
【補正の内容】
【０００７】
よって、本発明は上記した問題点に着目してなされたもので、従来の通信不能状態やエラー報知に加えて、受付中のカードの種別を係員等が容易に確認することのできる遊技用システムを提供することを目的としている。
【手続補正５】
【補正対象書類名】明細書
【補正対象項目名】０００８
【補正方法】変更
【補正の内容】
【０００８】
【課題を解決するための手段】
前記した問題を解決するために、本発明の遊技用システムは、
貨幣の支払いに応じた価値であって、遊技に使用可能な遊技用価値の大きさを特定可能な情報及び各記録媒体に固有の識別情報が記録され所有者を特定可能な所有者特定記録媒体を受付けて、該受付けた所有者特定記録媒体の記録情報を少なくとも読み出す記録媒体処理手段と、
該記録媒体処理手段にて前記所有者特定記録媒体から読み出した前記情報から特定される遊技用価値の大きさを遊技に使用するための遊技使用処理を行う遊技使用処理手段と、
を備える記録媒体処理装置と、
前記所有者特定記録媒体の遊技用価値の大きさを、該所有者特定記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、
前記所有者特定記録媒体の受付けを判断する所有者特定記録媒体受付判断手段と、
該所有者特定記録媒体受付判断手段による所有者特定記録媒体の受付け判断に基づいて、該所有者特定記録媒体の受付けを報知するための所有者特定記録媒体受付報知手段と、
前記記録媒体管理装置との通信状態が通信可能状態或いは通信不可能状態であるかの確認を行う通信状態確認手段と、
該通信状態確認手段にて確認された通信状態を報知するための通信状態報知手段と、
該記録媒体処理装置を構成する内部機器において、予め設定されているエラー内容に該当する障害が発生したか否かを判断するエラー発生判断手段と、
該エラー発生判断手段におけるエラー発生の判断に基づいてエラー発生を報知するためのエラー発生報知手段と、
前記記録媒体処理手段にて前記所有者特定記録媒体から読み出した情報から特定される遊技用価値の大きさと、該所有者特定記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であることを条件に、当該識別情報の所有者特定記録媒体の遊技への使用が可能であると判定し、該所有者特定記録媒体の遊技への使用が可能である旨を前記判定要求を送信した記録媒体処理装置に返信する使用可否判定手段を備えることを特徴としている。
この特徴によれば、前記記録媒体処理手段にて受付中の記録媒体が、所有者特定記録媒体であるかが報知されるようになるため、従来の通信不能状態やエラー報知に加えて、所有者特定記録媒体が受付中である旨を係員等が容易に確認することができる。
【手続補正６】
【補正対象書類名】明細書
【補正対象項目名】０００９
【補正方法】変更
【補正の内容】
【０００９】
本発明の遊技用システムの前記記録媒体処理装置は、前記各報知手段による報知を、各報知内容に該当する異なる表示態様を単一の表示部に表示することで報知するための多機能表示装置を備えることが好ましい。
このようにすれば、表示部を単一とすることで、該単一とされた表示部を注視することで、報知内容を確認できる。
【手続補正７】
【補正対象書類名】明細書
【補正対象項目名】００１０
【補正方法】変更
【補正の内容】
【００１０】
本発明の遊技用システムの前記記録媒体処理装置は、前記単一の表示部を記録媒体処理装置の上部位置に備えることが好ましい。
このようにすれば、前記単一の表示部を見やすくできる。
【手続補正８】
【補正対象書類名】明細書
【補正対象項目名】００１１
【補正方法】変更
【補正の内容】
【００１１】
本発明の遊技用システムの前記各報知手段は、異なる色の点灯表示にて報知を行うことが好ましい。
このようにすれば、色の違いで報知内容を識別できるので、報知内容を把握し易くなる。
【手続補正９】
【補正対象書類名】明細書
【補正対象項目名】００１２
【補正方法】変更
【補正の内容】
【００１２】
本発明の遊技用システムの前記所有者特定記録媒体受付判断手段は、所有者特定記録媒体を使用した遊技使用処理が可能であるか否かを判断し、
前記記録媒体処理装置は、該遊技使用処理の可否判断に基づいて、遊技使用処理の可否を報知する所有者特定記録媒体使用可否報知手段を備えることが好ましい。
このようにすれば、所有者特定記録媒体の所有者は、所有する所有者特定記録媒体が利用できるか否かを確認でき、所有者特定記録媒体を無理矢理に挿入すること等による装置や所有者特定記録媒体の破損等のトラブルを極力防止することができる。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明の遊技用システムの前記記録媒体処理装置は、前記所有者特定記録媒体に記録されている所有者識別情報に基づいて、該所有者が催事対象者に該当するか否かを判断するための催事対象者判断手段と、該催事対象者判断手段により該所有者が催事対象者に該当すると判断された場合に、該催事対象者である旨を報知するための催事対象者報知手段と、を備えることが好ましい。
このようにすれば、所有者特定記録媒体の所有者である遊技者が、催事対象者であることを遊技者自身および／または係員が容易に確認することができる。
【手続補正１２】
【補正対象書類名】明細書
【補正対象項目名】００１５
【補正方法】変更
【補正の内容】
【００１５】
本発明の遊技用システムは、前記催事対象者報知手段による報知態様が、前記所有者特定記録媒体受付報知手段による報知態様に関連付けられていることが好ましい。
このようにすれば、催事対象者は前記所有者特定記録媒体の所持者のみが対象となるため、これら催事対象者である旨の内容を、遊技者自身および／または係員が感覚的に知覚できるようになる。
【手続補正１３】
【補正対象書類名】明細書
【補正対象項目名】００１６
【補正方法】削除
【補正の内容】
【手続補正１４】
【補正対象書類名】明細書
【補正対象項目名】０２４１
【補正方法】変更
【補正の内容】
【０２４１】
【発明の効果】
本発明は次の効果を奏する。
（ａ）請求項１の発明によれば、前記記録媒体処理手段にて受付中の記録媒体が、所有者特定記録媒体であるかが報知されるようになるため、従来の通信不能状態やエラー報知に加えて、所有者特定記録媒体が受付中である旨を係員等が容易に確認することができる。
【手続補正１５】
【補正対象書類名】明細書
【補正対象項目名】０２４６
【補正方法】削除
【補正の内容】
【手続補正１６】
【補正対象書類名】明細書
【補正対象項目名】０２４７
【補正方法】変更
【補正の内容】
【０２４７】
（ｆ）請求項６の発明によれば、所有者特定記録媒体の所有者である遊技者が、催事対象者であることを遊技者自身および／または係員が容易に確認することができる。
【手続補正１７】
【補正対象書類名】明細書
【補正対象項目名】０２４８
【補正方法】変更
【補正の内容】
【０２４８】
（ｇ）請求項７の発明によれば、催事対象者は前記所有者特定記録媒体の所持者のみが対象となるため、これら催事対象者である旨の内容を、遊技者自身および／または係員が感覚的に知覚できるようになる。
【手続補正１８】
【補正対象書類名】明細書
【補正対象項目名】０２４９
【補正方法】削除
【補正の内容】